(57)【要約】【課題】本体ケースに形成された防水構造のモジュール収納部に収納されて固定されたモジュールと、前記本体ケースの外側に配置されたアンテナとを有する携帯型送受信機において、前記モジュールの回路基板と前記アンテナとの導通手段が水分や汗の影響を受けないようにすること。【課題手段】環状アンテナ１３とモジュールの回路基板１４とを接続するピン型導通部材１３ａは、環状アンテナ１３と一体に形成されている。ピン型導通部材１３ａは、本体ケース１１に形成されている導通用貫通穴１１ｅを貫通して、その端部は筒状モジュール収納部１１ａ内に露出している。バネ部材２２は、モジュールの回路基板１４に一端が固着され且つ他端がピン型導通部材１３ａの端面に弾性接触している。ピン型導通部材１３ａと導通用貫通穴１１ｅとの間隙には防水接着剤２３が注入されている。【選択図】　　図１
2004048449.tif 000002
【特許請求の範囲】
【請求項１】
モジュールが収納され固定されたプラスチック製本体ケースと、
前記本体ケースの上面に配置されたアンテナと、
前記モジュールの回路基板と前記アンテナとを接続する導通手段とを有し、
前記導通手段は前記アンテナと一体に形成されたピン型導通部材と前記回路基板と前記ピン型導通部材を接続する導通バネ部材とで構成され、前記ピン型導通部材は前記本体ケースに固定されていることを特徴とする携帯型送受信機。
【請求項２】
裏蓋で封止された大径の筒状モジュール収納部と小径の筒状開口が形成され且つ前記筒状開口の周囲の外表面に環状アンテナ収納部が形成されたプラスチック製本体ケースと、
前記筒状モジュール収納部に収納され固定されたモジュールと、
前記筒状開口を液密に封止するガラスと、
前記環状アンテナ収納部に配置され固定された環状アンテナと、
前記モジュールの回路基板と前記環状アンテナとを接続する導通手段とを有し、
前記導通手段は前記大径の筒状モジュール収納部と前記小径の筒状開口との段部に形成された導通用貫通穴と、前記貫通穴を貫通する導通部材であって前記環状アンテナと一体に形成されたピン型導通部材と、前記回路基板に一端が固着され且つ他端が前記ピン型導通部材の端面に弾性接触するバネ部材と、及び前記ピン型導通部材を前記導通用貫通穴に液密に固定する固定手段とから構成されたものであることを特徴とする携帯型送受信機。
【請求項３】
前記固定手段が前記導通部材と前記導通用貫通穴との間隙に注入された防水接着剤であることを特徴とする請求項２記載の携帯型送受信機。
【請求項４】
前記固定手段が前記導通部材と前記導通用貫通穴との間隙に充填された防水充填材であることを特徴とする請求項２記載の携帯型送受信機。
【請求項５】
前記固定手段が、前記導通用貫通穴に挿着されたブッシュと、前記ブッシュの外周面と前記導通用貫通穴の内周面との間に配置された第１シールリングと、前記ブッシュの内周面と前記ピン型導通部材の外周面との間に配置された第２シールリングとで構成されたものであることを特徴とする請求項２記載の携帯型送受信機。
【発明の詳細な説明】
【０００１】
【発明の属する技術分野】
本発明は、腕時計型携帯電話機や通信機能付腕時計の如き携帯型送受信機のアンテナの構造に関する。
【０００２】
【従来の技術】
腕時計型携帯電話機や通信機能付腕時計の如き携帯型送受信機のアンテナの構造は、腕携帯型送受信機自体の形状やケース本体の材質や寸法等の制約から、様々なものが開発されている。例えば、特開２００１−２７２４８０号公報には、ケース本体に形成されたモジュール収納部に収納された円板状基板にコイル状アンテナパターンが形成されたものが開示されている。また、特開２００１−２２８２６８号公報には、本体ケースから少なくとも部分的にリストバンドに沿って延びた舌状部材に組み込まれたものが開示されている。更に、特開平１０−２７１１９６号公報には、腕バンドに組み込んだアンテナが開示されている。上述の公報に開示されたアンテナ構造は夫々に工夫されたものであるが、様々な腕携帯型送受信機のアンテナの構造としては必ずしも広く採用できるものではない。
【０００３】
更に他の従来例は、図３の腕携帯型送受信機の要部断面図に示す如く、本体ケース１１のガラス１２の周縁に閉ループを形成するように配置されたアンテナ１３の構造である。即ち、このアンテナ構造を備えた腕携帯型送受信機は、大径の筒状モジュール収納部１１ａと小径の筒状開口１１ｂが形成され且つ筒状開口１１ｂの周囲の外表面に環状アンテナ収納部１１ｃが形成されたプラスチック製本体ケース１１と、筒状モジュール収納部１１ａに収納され固定されたモジュールと、筒状開口１１ｂを液密に封止するガラス１２と、環状アンテナ収納部１１ｃに配置され固定された環状アンテナ１３と、モジュールの回路基板１４と環状アンテナ１３とを接続する接続構造とから構成された腕携帯型送受信機である。
【０００４】
大径の筒状モジュール収納部１１ａに収納されて固定されたモジュールは、回路基板１４、モジュール部１５、モジュール取付け部材１６、液晶表示モジュール１７を含んで構成されている。
【０００５】
そして、モジュールの回路基板１４と環状アンテナ１３とを接続する接続構造は、大径の筒状モジュール収納部１１ａと小径の筒状開口１１ｂとの段部１１ｄに形成された導通用貫通穴１１ｅと、環状アンテナ１３に一端が接触し且つ貫通穴１１ｅを貫通する接続ピン２１と、回路基板１４に一端が固着され且つ他端が接続ピン２１の他端に弾性接触するバネ部材２２と、接続ピン２１の外周面と導通用貫通穴１１ｅの内周面との間に配置されたシールリング１９とで構成されている。
【０００６】
要するに、本体ケース１１の上面にアンテナ１３を設け、導電部材である接続ピン２１に防水用のシールリング１９を配置する構造とし、接続ピン２１によりアンテナ１３とケース本体１１内に収納され固定されているモジュールの回路基板１４と接続するようにしたアンテナの構造である。図３に開示されたアンテナの構造を採用した腕携帯型送受信機は、小型薄型化が容易であるだけでなく、組立てもし易いという特徴を有する。しかしながら、アンテナと接続ピンとの接触部Ｐは、防水構造のモジュール収納部１１ａの外側に存在するため、水分や汗が接触部Ｐに侵入する。このため、アンテナと接続ピンとの接触部Ｐは侵入した水分や汗で腐食し、アンテナ１３とケース本体１１内に収納され固定されているモジュールの回路基板１４との導通路の導電性が劣化し、従って腕携帯型送受信機の通信性能が劣化してしまうという問題がある。
【０００７】
【発明が解決しようとする課題】
本発明が解決しようとする課題は、防水構造の本体ケースの内側に収納されて固定されたモジュールと、前記本体ケースの外側に配置されたアンテナとを有する腕携帯型送受信機において、前記モジュールの回路基板と前記アンテナとの導通手段が水分や汗の影響を受けないようにすることである。
【０００８】
【課題を解決するための手段】
上記課題を解決するために、モジュールが収納され固定されたプラスチック製本体ケースと、前記本体ケースの上面に配置されたアンテナと、前記モジュールの回路基板と前記アンテナとを接続する導通手段とから構成された携帯型送受信機において、前記導通手段を前記アンテナと一体に形成されたピン型導通部材を含んで構成し、且つ前記ピン型導通部材を前記本体ケースに固定した。
ピン型導通部材を本体ケースに固定するには、接着剤のような液体を充填させたり、プラスチック系の部材を圧入するようにしても良い。
【０００９】
また、上記課題を解決するために、大径の筒状モジュール収納部と小径の筒状開口が形成され且つ前記筒状開口の周囲の外表面に環状アンテナ収納部が形成されたプラスチック製本体ケースと、前記筒状モジュール収納部に収納され固定されたモジュールと、前記筒状開口を液密に封止するガラスと、前記環状アンテナ収納部に配置され固定された環状アンテナと、前記モジュールの回路基板と前記環状アンテナとを接続する接続構造とから構成された帯型送受信機において、前記接続構造を、前記大径の筒状モジュール収納部と前記小径の筒状開口との段部に形成された導通用貫通穴と、前記貫通穴を貫通するピン型導通部材であって前記環状アンテナと一体に形成されたピン型導通部材と、前記回路基板に一端が固着され且つ他端が前記ピン型導通部材の端面に弾性接触するバネ部材、及び前記ピン型導通部材を前記導通用貫通穴に液密に固定する固定手段とで構成した。
【００１０】
前記固定手段は、前記導通部材と前記導通用貫通穴との間隙に注入された防水接着剤、又は前記導通部材と前記導通用貫通穴との間隙に充填された防水充填材である。
【００１１】
更に、前記固定手段は、前記導通用貫通穴に挿着されたブッシュと、前記ブッシュの外周面と前記導通用貫通穴の内周面との間に配置された第１シールリングと、前記ブッシュの内周面と前記ピン型導通部材の外周面との間に配置された第２シールリングとで構成されたものである。
【００１２】
このように前記モジュールの回路基板と前記アンテナとの導通手段を、前記アンテナと一体に形成されたピン型導通部材と、前記モジュールの回路基板に一端が固定され他端が前記ピン型導通部材の端部に弾性接触する前記導通バネ部材とで構成した。このため、前記ピン型導通部材と前記導通バネ部材との接触は、前記防水構造のモジュール収納部の中で行われる。従って、前記モジュールの回路基板と前記アンテナとの導通手段には水分や汗の影響は全く及ばない。
【００１３】
【発明の実施の形態】
以下図面に基づいて、本発明の実施の形態について説明する。また、携帯型送受信機として、腕に装着する腕携帯型送受信機について述べる。
本発明の第１実施形態の携帯型送受信機の左半分を断面図で示した図１において、本体ケース１１は大径の筒状モジュール収納部１１ａと小径の筒状のガラス側開口１１ｂと、環状段部１１ｄと、浅い環状凹部のアンテナ収納部１１ｃが形成されたプラスチック製本体ケースである。本体ケース１１の環状段部１１ｄには、垂直な導通用貫通穴１１ｅと中心軸方向に水平に突出した環状突起部１１ｆが形成されている。大径の筒状モジュール収納部１１ａのガラス側開口１１ｂとは反対側の開口は、裏蓋１８によって液密に封止されている。
【００１４】
筒状のモジュール収納部１１ａに収納されて固定されているモジュールは、回路基板１４、モジュール部１５、モジュール取付け部材１６、液晶表示モジュール１７を含んで構成されている。液晶表示モジュール１７は、モジュール取付け部材１６の環状突起部１６ａで囲まれた空間に配置されている。モジュール取付け部材１６の環状突起部１６ａの先端の一部は、本体ケース１１の環状段部１１ｄのモジュール収納部側の面に当接している。
【００１５】
ガラス１２は、その裏面の外周部を本体ケース１１の環状段部１１ｄの環状突起部１１ｆに当接するようにして、本体ケース１１の開口１１ｂに嵌め込まれ、接着剤で固定されている。本体ケース１１の開口１１ｂの内周面とガラス１２の外周面との間にはシール用のパッキン１９が挿入されている。
【００１６】
アンテナ１３は所定の厚さの環状アンテナであって、その一部にアンテナ面に略垂直にして一体に形成されたピン型導通部材１３ａを有する。アンテナ１３は、そのピン型導通部材１３ａを本体ケース１１の環状段部１１ｄの垂直な導通用貫通穴１１ｅを貫通するように位置付けられて、本体ケース１１のアンテナ収納部１１ｃに接着剤で固定されている。また、ピン型導通部材１３ａと導通用貫通穴１１ｅとの間の隙間には防水接着剤又は防水充填剤が注入されている。ピン型導通部材１３ａは、ろう付、溶接、ねじ切り、打ち込み等の製造方法でアンテナ１３に一体に形成されたものである。
【００１７】
本発明の第１実施形態の腕携帯型送受信機において、モジュール収納部１１ａは裏蓋１８とガラス１２によって液密に封止され、更にアンテナ１３と回路基板１４とを接続するピン型導通部材１３ａは防水接着剤２３で本体ケース１１の導通用貫通穴１１ｅに液密に固定されている。
【００１８】
従って、モジュール収納部１１ａは完全な防水構造の空間である。この完全な防水構造のモジュール収納部１１ａ内において、ピン型導通部材１３ａと導通用板バネ部材２２が弾性接触し、アンテナ１３と回路基板１４とが電気的に接続されているので、この弾性接触部分に水分や汗の影響は全く及ばない。それ故、本発明に係る腕携帯型送受信機の通信性能は、水分や汗によって悪影響を受けることがない。
【００１９】
次に、図２の本発明の第２実施形態の腕携帯型送受信機は、ピン型導通部材１３ａをケース１１の導通用貫通穴に１１ｅに液密にして固定する手段を除いては、上述の第１実施形態の腕携帯型送受信機と同じ構造である。前記固定する手段は、導通用貫通穴１１ｅに挿着されたブッシュ２４と、ブッシュ２４の外周面と導通用貫通穴１１ｅの内周面との間に配置された第１シールリング２５と、ブッシュ２４の内周面とピン型導通部材１３ａの外周面との間に配置された第２シールリング２６とで構成されている。
【００２０】
即ち、本発明の第２実施形態の腕携帯型送受信機において、モジュール収納部１１ａは裏蓋１８とガラス１２によって液密に封止されている。また、アンテナ１３と回路基板１４とを接続するピン型導通部材１３ａは、本体ケース１１の貫通穴１１ｅにブッシュ２４を介して液密に固定されている。前記液密な固定は、ブッシュ２４の外周面と導通用貫通穴１１ｅの内周面に第１シールリングを配置し、ブッシュ２４の内周面とピン型導通部材１３ａの外周面との間に第２シールリング２６を配置することで行われている。要するに、ブッシュ２４と第１シールリング２５並びに第２シールリング２６で、二重防水構造としたものである。
【００２１】
従って、モジュール収納部１１ａは完全な防水空間である。この防水空間であるモジュール収納部１１ａにおいて、ピン型導通部材１３ａと導通用板バネ部材２２が弾性接触して、アンテナ１３と回路基板１４とが電気的に接続されているので、この部分に水分や汗の影響は全く及ばない。それ故、本発明に係る腕携帯型送受信機の通信性能は、水分や汗によって悪影響を受けることがない。
【００２２】
【発明の効果】
本発明により、防水構造の本体ケースの内側に収納されて固定されたモジュールと、前記本体ケースの外側に配置されたアンテナとを有する腕携帯型送受信機において、前記モジュールの回路基板と前記アンテナとの導通手段が水分や汗の影響を受けないようにすることができた。従って、実使用環境でアンテナ接続部の信頼性が確保され、腕携帯型送受信機の良好な送受信感度を維持できるようになった。
【図面の簡単な説明】
【図１】本発明の第１実施形態の腕携帯型送受信機を左半分の断面図で示した図である。
【図２】本発明の第２実施形態の腕携帯型送受信機を左半分の断面図で示した図である。
【図３】従来の腕携帯型送受信機を左半分の断面図で示した図である。
【符号の説明】
１１　ケース
１１ａ　大径の筒状モジュール収納部
１１ｂ　小径のガラス側開口
１１ｃ　アンテナ収納部
１１ｄ　環状段部
１１ｅ　導通用貫通穴
１１ｆ　環状突起部
１２　ガラス
１３　アンテナ
１３ａ　ピン型導通部材
１４　回路基板
１５　モジュール部
１６　モジュール取付け部材
１７　液晶モジュール
１８　裏蓋
１９　パッキン
２１　接続ピン
２２　導通バネ部材
２３　防水接着剤
２４　ブッシュ
２５、２６、２７　シールリング
Ｐ　接続ピンとアンテナとの接触部
【図１】
2004048449.tif 000003
【図２】
2004048449.tif 000004
【図３】
2004048449.tif 000005